(57)【要約】      （修正有）【課題】丸まるバンドに実用的機能を付与してその利便性を高めると共に、併せて児童の計量に対する関心度を高めるための教育的効果をも奏する丸まるバンドを提供する。【解決手段】円弧状断面が平坦になるよう押すことによって直線状が瞬時に丸まって環状になる特性を備えた短冊状の板バネ１と、バネ１を覆って収納する軟質樹脂シート２、３からなるカバー体５とから構成される丸まるバンド１０の、いずれか一方もしくは双方の主平面において長手方向に延びるいずれか一方もしくは双方の縁に沿ってスケール１１を備える。当該スケール１１は、カバー体５もしくは板バネ１のいずれかに印刷されたものであっても、あるいは別シートに印刷されたスケール１１を貼り付けたものであってもよい。丸まるバンド１０のいずれか一方もしくは双方の主平面の余白１２には夜光反射材を施すことができる。【選択図】図１
0003214861.tif 000002
【実用新案登録請求の範囲】
【請求項１】
断面円弧状形状で直線状に所定長さ延び、該円弧状の断面の一部を平坦になるよう変形させることによって全体が直線状から瞬時に環状に丸まる特性を備えた鋼製もしくは樹脂製の板バネと、該板バネを覆って収納する柔軟性の樹脂材からなるカバー体とから構成される丸まるバンドにおいて、
該丸まるバンドのいずれか一方もしくは双方の主平面の、長手方向に延びるいずれか一方もしくは双方の縁に沿って長さの測定が可能なスケールが付されていることを特徴とする丸まるバンド。
【請求項２】
前記スケールが、前記カバー体もしくは板バネのいずれかに印刷されたものであること、もしくは別シートに印刷されたスケールが前記カバー体もしくは板バネのいずれかに貼り付けられたもののいずれかである、請求項１に記載の丸まるバンド。
【請求項３】
前記丸まるバンドのいずれか一方もしくは双方の主平面に夜光反射材が施されている、請求項１に記載の丸まるバンド。
【考案の詳細な説明】
【技術分野】
【０００１】
本考案は、断面が略円弧状に湾曲して延びる細長い帯状の弾性部材を含み、非使用時には直線状に延展し、使用時には円弧状断面が平坦になるよう先端部などを指で押すことによって全体が環状に丸まる特性を有し、一般には蛍光部材と組み合わせることによって交通安全対策用品として供されている、通称「丸まるバンド」に関する。
【背景技術】
【０００２】
一般に「丸まるバンド」とか「パッチンバンド」、あるいはその他各種名称で呼ばれる当該用品（以下、本明細書では「丸まるバンド」と呼ぶ。）は、丸まった状態で腕や足に巻き付けたり、自転車などに取り付けたりして夜間の視認性を高めるための安全用品として広く普及している（例えば、特許文献１、特許文献２、特許文献３参照。）。
【０００３】
１例として、図２は特許文献１に開示されたアームバンド（本願の丸まるバンドに相当。）の概要を示している。図２（ａ）において該アームバンドは、断面が円弧状に湾曲した可逆変形可能な鋼製又は樹脂製の細長い板バネ（マジックルールとも呼ばれる）１と、板バネ１を両面から挟んで封入する柔軟な樹脂シート２、３からなる扁平状カバー体と、板バネ１の片面もしくは両面に配置されたクッションシート４とから構成されている。該アームバンドは、通常は図２（ｂ）に示すように板バネ１が延展した状態で直線形状を維持しているが、長手方向のいずれか１カ所を指で押して断面形状が平坦によるよう変形させると板バネ１が瞬時に丸まり、アームバンド全体が図２（ｄ）に示すように環状に変形することで腕等への容易な装着が可能となる。なお、図示の例では板バネ１の巻回動作（丸まる動作）を円滑にするためにクッションシート４が設けられているが、これは必ずしも必要ではない。
【０００４】
引用文献１に示す例では、扁平状カバー体に絵柄、彩色などの印刷を施すことによって装飾用として使用するものとしているが、特許文献２に示す例では袋帯（上記のカバー体に相当）に夜光反射材を装着することで夜間の視認性を高めて交通安全対策を図る夜行反射具として使用され、特許文献３では蓄光によって発光量をさらに高めるために反射材として再帰性反射機能の部材を具備するものとしている。丸まるバンドはこのように、装飾用部材として、あるいは夜間の安全対策用品として利用され、非使用時には持ちやすいように直線状に伸展させ、使用時にはバンド状に丸めて使用されている。
【先行技術文献】
【特許文献】
【０００５】
【特許文献１】実用新案登録第３０６２９９０号公報
【特許文献２】実用新案登録第２７５１６１１号公報
【特許文献３】実用新案登録第３１４１９６３号公報
【考案の概要】
【考案が解決しようとする課題】
【０００６】
上述した従来技術に係る丸まるバンドには、さらに実用性を加味することによる改善の余地があった。丸まるバンドは大人も子供も勿論利用可能ではあるが、限定する訳ではないものの一般には主に児童がその使用対象となっている。特許文献１の装飾用の例としては、人物、動物、植物などのキャラクターの表示が挙げられているのも児童が主な対象となっていることを物語るものである。また夜光反射具を装備した安全対策用としても、車両などの交通手段に対して注意が散漫になり勝ちな児童がその主な対象となっていることが分かる。児童は移動時には丸まるバンドを直線状に延展させてランドセルや袋などに入れて持ち運び、使用時には環状に丸めて腕等に装着して使用している。
【０００７】
ところで、昨今では児童の計量能力の低下が叫ばれるようになっている。昔は天稟ばかりとか、錘式体重計、巻尺、定規などが身近にあって、児童自身が自ら使用するなどそれに接する機会も多く、計量に関しても興味を持って自然に計量、測定について学ぶ機会も多かった。昨今では電子機器などの普及に伴って望む計量結果が瞬時に導き出せることもあり、児童が各種計量装置に親しむ機会が減っていることが計量能力の低下傾向の原因の一つになっているものと考えられる。最も身近である長さの測定に関しても、児童が物差しを当てて自ら測定する機会も減っていると言われ、長さに関連した常識的な判断基準が失われつつあるのが現状のようである。
【０００８】
以上より、本考案は世間に出回っている装飾用、あるいは安全対策用として知られた丸まるバンドに実用性を加味し、これを児童が使用することによって児童が計測、計量にも自然に関心を持つことができるようにする改善された丸まるバンドを提供することを目的としている。
【課題を解決するための手段】
【０００９】
本考案は、丸まるバンドに装飾用、安全対策用の機能に加え、あるいはこれらの代わりに、物差しとしての測定機能を果たすスケール（目盛り）を付与することによって上記課題を解消するもので、具体的には以下の内容を含む。
【００１０】
すなわち、本考案に係る１つの態様は、断面円弧状形状で直線状に所定長さ延び、該円弧状の断面の一部を平坦になるよう変形させると全体が直線状から瞬時に環状に丸まる特性を備えた鋼製もしくは樹脂製の板バネと、該板バネを覆って収納する柔軟性の樹脂材からなるカバー体とから構成される丸まるバンドであって、該丸まるバンドのいずれか一方もしくは双方の主平面に、長手方向に延びるいずれか一方もしくは双方の縁に沿ってスケールが付されていることを特徴とする丸まるバンドに関する。
【００１１】
前記スケールは、カバー体もしくは板バネのいずれかに印刷されたもの、もしくは別シートに印刷されたスケールを前記カバー体もしくは板バネのいずれかに貼り付けられたものとすることができる。
【００１２】
前記丸まるバンドのいずれか一方もしくは双方の主平面には、夜光反射材を施すことができる。当該夜光反射材は、スケールと重複して、あるいはスケール部分を除いた余白に施すことができる。
【考案の効果】
【００１３】
本考案の実施により、丸まるバンドに物差しとしての実用性を付与することができるという効果を奏し、さらには当該丸まるバンドを使用することにより特には児童に対して計測に対する関心度を高めるという教育的効果をも奏するものとなる。
【図面の簡単な説明】
【００１４】
【図１】本考案の実施の形態に係る丸まるバンド示す、一部を切り欠いた斜視図である。
【図２】従来技術に係る丸まるバンドの一例を示す説明図である。
【考案を実施するための形態】
【００１５】
本考案の実施の形態に係る丸まるバンドについて、図面を参照して説明する。図１は、本実施の形態にかかる丸まるバンド１０を示している。丸まるバンド１０の基本的構成は図２に示す従来技術によるものと同様にすることができる。すなわち、図１において丸まるバンド１０の基本的構成は、断面略円弧上の細長い鋼製もしくは樹脂製の板バネ１を、柔軟な樹脂シート２、３からなるカバー体５で包んだものからなる。なお、図２（ａ）に示すクッションシート４は必須要素ではないため除いている。
【００１６】
本実施の形態に係る丸まるバンド１０は、カバー体５のいずれか一方もしくは双方の主平面において、好ましくは長手方向に延びる縁に沿ってスケール（目盛り）１１を付与したことを特徴としている。スケール１１は、ｍｍ単位であっても、５ｍｍ単位であっても１ｃｍ単位であっても、あるいは１インチ単位であっても、物差しとして使用できるものであれば任意である。また、一方の主平面の長手方向に延びる両縁に一対のスケール１１を設けることも自由であり、この際には一対のスケール１１の表示をメートル単位（ｍｍ、ｃｍ）やインチ単位と組み合わせとすることも自由である。
【００１７】
本実施の形態にかかる丸まるバンド１０では、スケール１１を軟質樹脂材からなるカバー体５に印刷するものとしているが、他の態様としては図１に示すシール状の貼付スケール１１ａのような別物とし、その裏面の粘着剤を利用して矢印に示すようにカバー体５に貼り付けることでもよい。この場合、従来技術による在庫品にも後付けとして貼り付けが可能となり、在庫処理が容易になるという利点を有する。この際のシール状の貼付スケール１１ａは、丸まるバンド１０の丸まる動作に追従できるだけの伸縮性、柔軟性を備えたものであることが条件となる。貼り付ける部位は、カバー体５に限らず、内部に収納された板バネ１あるいは夜光反射部材などの他の要素に貼り付けて、透明にしたカバーシート２または３を介して外から透視できるようにしても良い。
【００１８】
カバー体５の主平面の他の余白部分１２は、夜間安全対策用として夜光反射材が施された反射面とし、安全用品としても使用できるようにすることが好ましい。この場合においても、夜光反射材はカバー体５に限らず、内部に収納される部位に施してこれを透明なカバーシート２または３を介して見られるようにすることでもよい。この際の夜光反射材は、再帰反射機能部材とすることができる。あるいは夜光反射面とする代わりに、図柄等の装飾を施したものとすることも勿論可能である。夜光反射材、あるいは図柄等の装飾は、スケール１１との区別ができる限りこれと重複して施してもよく、スケール１１部分を除く他の余白に施してもよい。
【００１９】
本実施の形態にかかる丸まるバンド１の使用時の態様は、図１に示すように丸まるバンド１０本体を延展させた状態で対象となる物品にスケール１１をあてがうことによってその長さを測定することができ、またバンド本体の縁を利用して定規の代用とすることができる。また、丸まるバンド１０の円弧状断面が平坦になるよう指で押して丸まった状態とし、これを円筒状の物品の周囲に巻き付けることでその周囲の長さを測ることもできる。勿論、丸めたものを腕等に装着して従来技術に係るバンドと同様に安全対策用品として活用することもできる。このため、本実施の形態に係る丸まるバンド１０の「使用状態」には、丸まった状態の外にも延展した状態をも含まれるものとなる。
【００２０】
本実施の形態にかかる丸まるバンド１０には各種の変形が考えられる。例えば、スケール１１をカバー体５に印刷あるいは貼り付けることなく、カバー体５に透明な材料を使用して、内部の板バネ１にスケール１１を直接印刷してカバー体５の外からこれを透視して使用するようにしてもよい。また、夜光反射面もカバー体５の外部に施すことなく、カバー体５の内部のいずれか（カバー体５の内側、もしくは板バネ１の表面）に施すようにしてもよい。
【００２１】
以上、本考案の実施の形態に係る丸まるバンド１０について述べてきたが、本考案に係る丸まるバンドは、従来は安全対策用品、あるいは装飾用品として知られてきた丸まるバンドに、スケールという実用性のある手段を付加するものとなり、丸まるバンドの利用価値を高めると共に、児童の計量に関する興味を喚起するという教育的価値をも付与するものとなる。もともと安価にできるものであり、例えば運動会等の賞品とか、児童の集まる会合の景品や記念品などの手軽に配布するグッズとして利用することができ、これらが多く配布されることによって児童の計測に対する関心度、意欲をも高めることができる。
【産業上の利用可能性】
【００２２】
本考案に係る丸まるバンドは、丸まるバンドを製造、使用、販売する産業分野、交通安全対策用品の提供、取扱いを行う産業分野等において広く利用することができる。
【符号の説明】
【００２３】
１．板バネ、
２、３．柔軟性樹脂シート、
５．カバー体、
１０．丸まるバンド、
１１．スケール、
１１ａ．貼付スケール、
１２．余白
【図１】
0003214861.tif 000003
【図２】
0003214861.tif 000004